(57)【要約】【課題】本発明の課題は、テープ等を使用しないでも簡単に繰り返し使用ができるメモ機能つき腕付設帯を提供することである。【解決手段】本発明によるメモ用腕付設具は、メモ記述部と前記メモ記述部に繋がった巻帯部を有し、メモ記述部には記入用片を収納する収納袋部と記入用の窓があり、巻帯部は腕に密着固定できる。【選択図】図１
2009244694.tif 000002
【特許請求の範囲】
【請求項１】
メモ記述部と前記メモ記述部に繋がった巻帯部とを有し、前記メモ記述部は、前記メモを記述するための記入用片を収納する記入用片収納袋部と、前記記入用片収納袋部に有する前記記入用片を挿抜する挿抜口と、前記記入用片が表面に露出して記入ができるように記入用片収納袋部に開いた記入用の窓とを有し、前記巻帯部は、腕に付設できるように前記巻帯部同士が互いに結合する結合具を有するか又は腕を通す空間を持つように輪になっていることを特徴とするメモ用腕付設具。
【請求項２】
前記挿抜口を開閉するファスナを有することを特徴とする請求項１記載のメモ用腕付設具。
【請求項３】
前記記入用片又は前記記入用片収納袋部には、前記記入用の窓内を含む周辺に前記記入する内容に対応する書式が予め印刷されていることを特徴とする請求項１又は請求項２記載のメモ用腕付設具。
【請求項４】
前記巻帯部は、腕に密着可能にする伸縮自在部を有することを特徴とする請求項１から請求項３のいずれか１つに記載のメモ用腕付設具。
【請求項５】
前記メモ記述部、前記巻帯部、前記記入用片の少なくとも一つが有色であって、その色で作業の種別を表すようにしたことを特徴とする請求項１から請求項４のいずれか１つに記載のメモ用腕付設具。
【発明の詳細な説明】
【技術分野】
【０００１】
本発明は、病院、工事現場等の作業者が作業中に注意すべき事柄を記述し、常時視覚できるようにして腕に簡単に着脱自在に付設できるメモ機能つき腕付設帯に関するものである。  
【背景技術】
【０００２】
従来、作業現場、特に、工事現場の作業者は、作業場所での注意事項や実施事項の重要なメモポイントを忘れることなく実施する必要が有った。通常の腕章は、特許文献１に見るように多く見られるが、作業現場のこのような要求に対応したものは見当たらない。
図３は従来の作業メモの仕方を説明する図である。テープ３００からテープ片３０１を切り出し、これにメモポイントを記述し、このテープ片３０１を腕に巻いて見えるようにするか、テープ片３０１を腕に巻いてからメモポイントを記述していた。図ではテープ片３０１を腕に巻いた腕巻部３０２も示している。テープは、一度使用すると繰り返し使用することが出来ず、テープ巻きを持ち歩く必要があり、不便であった。この様な目的では、他に好都合なものは提案されていず、テープ等を持ち歩く必要がなく簡単に使用できるものが望まれていた。
【特許文献１】特開２００７−２５５７３
【発明の開示】
【発明が解決しようとする課題】
【０００３】
上記のような事情から、解決しようとする課題は、テープ等を使用しないでも簡単に繰り返し使用ができるメモ機能つき腕付設帯を提供することである。
【課題を解決するための手段】
【０００４】
上記の課題を解決するための手段として、本発明によるメモ用腕付設具は、メモ記述部と前記メモ記述部に繋がった巻帯部を有し、メモ記述部には記入用片を収納する収納袋部と記入用の窓があり、巻帯部は腕に密着固定できる機能を提供する。以下、請求項に沿って説明する。
【０００５】
請求項１記載の発明は、メモ用腕付設具であって、メモ記述部と前記メモ記述部に繋がった巻帯部とを有し、前記メモ記述部は、前記メモを記述するための記入用片を収納する記入用片収納袋部と、前記記入用片収納袋部に有する前記記入用片を挿抜する挿抜口と、前記記入用片が表面に露出して記入ができるように記入用片収納袋部に開いた記入用の窓とを有し、前記巻帯部は、腕に付設できるように前記巻帯部同士が互いに結合する結合具を有するか又は腕を通す空間を持つように輪になっていることを特徴とする。これにより、メモ機能を有する腕付設具が実現できる。
【０００６】
請求項２記載の発明は、請求項１記載のメモ用腕付設具において、前記挿抜口を開閉するファスナを有することを特徴とする。これにより、記入用片を落ちないようにすることができる。
【０００７】
請求項３記載の発明は、請求項１又は請求項２記載のメモ用腕付設具において、前記記入用片又は前記記入用片収納袋部には、前記記入用の窓内を含む周辺に前記記入する内容に対応する書式が予め印刷されていることを特徴とする。これにより、書式を記入する手間を省け、記入書式を知らしめることで、記入場所の標準化を行うことができる。
【０００８】
請求項４記載の発明は、請求項１から請求項３のいずれか１つに記載のメモ用腕付設具において、前記巻帯部は、腕に密着可能にする伸縮自在部を有することを特徴とする。これにより密着が可能となる。
【０００９】
請求項５記載の発明は、請求項１から請求項４のいずれか１つに記載のメモ用腕付設具において、前記メモ記述部、前記巻帯部、前記記入用片の少なくとも一つが有色であって、その色で作業の種別を表すようにしたことを特徴とする。これにより、作業種の識別が可能となる。
【発明の効果】
【００１０】
以上のように構成されているので、本発明によるメモ用腕付設具は、テープを持ち歩く不便も無く、ポケットなどで持ち運ぶこともでき、簡単に腕に取り付け、取り外しが可能で、繰り返し使用できるので、大変好都合なメモ用腕付設具を提供できる。
【発明を実施するための最良の形態】
【００１１】
本発明によるメモ用腕付設具は、メモ記述部と前記メモ記述部に繋がった巻帯部とを有し、前記メモ記述部は、前記メモを記述するための記入用片を収納する記入用片収納袋部と、前記記入用片収納袋部に有する前記記入用片を挿抜する挿抜口と、前記記入用片が表面に露出して記入ができるように記入用片収納袋部に開いた記入用の窓とを有し、前記巻帯部は、腕に付設できるように前記巻帯部同士が互いに結合する結合具を有するか又は腕を通す空間を持つように輪になっていることを特徴とする。
以下、実施例で説明する。
【００１２】
図１は、本発明によるメモ用腕付設具の一実施態様を示す図である。１−Ａはメモ記述部が見える側を示し、これを右側からの断面を見たものが１−Ｂに示されている。メモ部１０１は袋状になっていて、この袋１０２が有する口１０３から記入用片１０４が挿抜できるようになっている。記入用片１０４が見えるように、メモ部１０１の袋の表面は透明になっている。この図の例では、口１０３にファスナ１０５が着いているので、記入用片１０４が落ちないようになっている。メモ部１０１の袋１０２の表面には、記入用の窓１０６（袋体が開いて記入用片１０４が表面に露出できる部分）があり、ここから適当なペンによりメモ記述できる。記入用の窓１０６の周辺には、記述する内容に対応する書式の印刷部１０７が予め印刷されていることが望ましい。これは、袋１０２に印刷されていても、記入用片１０４に印刷されていてもよい。ファスナ１０５は必ずしも必要ではない。メモ部１０１は大きな記述領域が取れるように好ましくは矩形形状がよい。尚、記入用片１０４は紙、合成樹脂シート等などいろいろ使用できる。尚、この図では、記入用の窓１０６が多数あるが、その数と位置は自由である。記入用の窓１０６の使い方としては、文字の記入以外に、周辺に表示しているチェック項目に対するチェック結果を記入することも出来る。
【００１３】
メモ部１０１の上下には腕に沿って自由に曲がる巻帯部１０８、１０９が着いていて、それには固定のためのマジックバンド等の結合具１１０Ａ、１１０Ｂが付いている。結合具１１０Ａ、１１０Ｂはマジックバンドでは、両者が噛み合って腕に固定できる。巻帯部１０８、１０９には、ゴムのような伸縮自在部があることが腕固定のためには好都合である。
尚、巻帯部１０８、１０９は、上下に同じ状態で付いている必要はなく、一部がメモ部１０１と一体に形成されていてもかまわない。そのような例が１−Ｃに示される。メモ部１０１の一方の端には、帯状の巻帯部１０９があり、これと反対側のメモ部１０１の端には、帯状の巻帯部１０９に付く巻帯部１０８がある。互いにマジックバンドの関係で固定される。巻帯部１０９の帯状部は単数でもよい。
【００１４】
メモ部１０１及び巻帯部１０８、１０９の色は、無色、有色いずれも可能であり、有色の場合は、同色でもよいし、異色でもよい。又色を付けることで、例えば、「赤は、高所作業用」、「緑は、電動工具作業用」、「黄は、火気使用作業用」、「黒は玉掛け作業用」、「青は重機作業用」、「灰色は酸欠作業用」、「白は一般作業用」などの意味付けを行うことが出来る。
【００１５】
図２は、本発明によるメモ用腕付設具の別の一実施態様を示す図である。この例では、横断面のみ示している。メモ部２０１に繋がった巻帯部２０２が輪になっている。巻帯部２０２の輪の空間に腕に通すことで図１と同様に使用できる。
【産業上の利用可能性】
【００１６】
以上の様に、本発明によるメモ用腕付設具は、工事現場等で作業者が腕に取り付けて、作業上の重要な事項を記述して視覚化できるので、手落ち作業を減らし、安全を喚起し、繰り返し使用でき大変好都合であり、産業上大きな利用性を有している。
【図面の簡単な説明】
【００１７】
【図１】本発明による本発明によるメモ用腕付設具の一実施態様を示す図である。
【図２】本発明によるメモ用腕付設具の別の一実施態様を示す図である。
【図３】従来の作業メモの仕方を説明する図である。
【符号の説明】
【００１８】
１０１、２０１  メモ部
１０２  袋
１０３  口
１０４  記入用片
１０５  ファスナ
１０６  記入用の窓
１０７  書式の印刷部
１０８、１０９、２０２  巻帯部
１１０Ａ、１１０Ｂ    結合具
３００  テープ
３０１  テープ片
３０２  腕巻部
【図１】
2009244694.tif 000003
【図２】
2009244694.tif 000004
【図３】
2009244694.tif 000005